(57)【要約】【課題】ケーブル余長処理作業の効率向上および作業者の負担軽減を図ることができるケーブル余長巻回し補助具を提供する。【解決手段】ケーブル余長巻回し補助具１０は、４００ｍｍから１０００ｍｍまでの１００ｍｍごとの巻回し径のいずれかでケーブル余長部分を円形に巻き回す際に、縦部材１１の上端マークＡから２００ｍｍから５００ｍｍまでの５０ｍｍごとの距離に形成された第１乃至第７のボルト孔Ｂ1〜Ｂ7の該当のボルト孔の位置にスライド部材１４をボルトＶで固定すれば、巻き回されたケーブル余長部分の左側部分および右側部分を第１乃至第７の左側ケーブル受けガイド１３L1〜１３L7および第１乃至第７の右側ケーブル受けガイド１３R1〜１３R7のうちの該当の左側ケーブル受けガイドおよび右側ケーブル受けガイドでそれぞれ受けられるように構成されている。【選択図】図１
2012027292.tif 000002
【特許請求の範囲】
【請求項１】
支持物間にケーブル（１）を架設する際にケーブル余長部分を第１乃至第ｎの巻回し径のうちのいずれか１つの巻回し径で円形に巻き回してケーブル余長処理作業を行うときに使用されるケーブル余長巻回し補助具であって、
前記ケーブル余長巻回し補助具を前記支持物に固定するための固定部材と、
上端に前記固定部材が取り付けられた縦部材と、
前記縦部材の長手方向に沿ってスライド可能なように該縦部材に取り付けられたスライド部材と、
長手方向が前記縦部材の長手方向と垂直になるように中央部が前記スライド部材に取り付けられた横部材と、
前記横部材の左端部および右端部の前記光ケーブル余長部分を前記第１乃至第ｎの巻回し径でそれぞれ円形に巻き回す際に該巻き回された光ケーブル余長部分の左側部分および右側部分をそれぞれ受けることができる位置にそれぞれ取り付けられた、かつ、前記第１乃至第ｎの巻回し径の半分の曲率半径でそれぞれ曲げられた形状を有する第１乃至第ｎの左側ケーブル受けガイドおよび第１乃至第ｎの右側ケーブル受けガイドと、
前記縦部材の上端部の前記固定部材よりも下の所定の点から該縦部材の長手方向と平行に測った距離が前記第１乃至第ｎの巻回し径の半分となる第１乃至第ｎの固定位置のいずれか１つの固定位置に前記スライド部材を固定するためのスライド部材固定手段とを具備し、
前記第１乃至第ｎの巻回し径のうち一番小さい第１の巻回し径から数えてｍ（ｍ＝１〜ｎ）番目の第ｍの巻回し径で前記ケーブル余長部分を円形に巻き回す際に、前記第１乃至第ｎの固定位置のうちの前記縦部材の上端から見てｍ番目の第ｍの固定位置に前記スライド部材を前記スライド部材固定手段で固定し、該巻き回されたケーブル余長部分の左側部分および右側部分が前記第１乃至第ｎの左側ケーブル受けガイドのうちの前記横部材の中央部から見てｍ番目の第ｍの左側ケーブル受けガイドおよび前記第１乃至第ｎの右側ケーブル受けガイドのうちの前記横部材の中央部から見てｍ番目の第ｍの右側ケーブル受けガイドによってそれぞれ受けられるようにされている、
ことを特徴とする、ケーブル余長巻回し補助具。
【請求項２】
前記第１乃至第ｎの左側ケーブル受けガイド（１３L1〜１３L7）および前記第１乃至第ｎの右側ケーブル受けガイド（１３R1〜１３R7）が、下端が前記横部材（１２）の下端と同じになるとともに、上端が該横部材の上端よりも上になるようにかつ上端を結んだ線の延長線が該横部材の中央部を通るように取り付けられていることを特徴とする、請求項１記載のケーブル余長巻回し補助具。
【請求項３】
前記光ケーブル余長部分を前記第１乃至第ｎの巻回し径のうち第ｐ（ｐ＜ｎ）乃至第ｎの巻回し径でそれぞれ円形に巻き回す際に該巻き回された光ケーブル余長部分の下側部分を受けるための第１乃至第（ｎ−ｐ＋１）の下側ケーブル受けガイド（１３D1〜１３D4）をさらに具備することを特徴とする、請求項２記載のケーブル余長巻回し補助具。
【請求項４】
前記第１乃至第ｎの左側ケーブル受けガイド（２３L1〜２３L7）と前記第１乃至第ｎの右側ケーブル受けガイド（２３R1〜２３R7）とが、下端が前記横部材（２２）の下端よりも下になるようにかつ下端を結んだ線の延長線が該横部材の中央部を通るように取り付けられていることを特徴とする、請求項１記載のケーブル余長巻回し補助具。
【請求項５】
前記第１乃至第ｎの左側ケーブル受けガイド（３３L1〜３３L7）と前記第１乃至第ｎの右側ケーブル受けガイド（３３R1〜３３R7）とが、前記横部材（３２）の中央部よりも前記縦部材（３１）の長手方向に沿って上方の点から該横部材の長手方向と平行に測った距離が前記第１乃至第ｎの巻回し径の半分となる位置に取り付けられていることを特徴とする、請求項１記載のケーブル余長巻回し補助具。
【請求項６】
前記横部材（６０）が、前記第ｍの巻回し径で前記ケーブル余長部分を円形に巻き回す際に前記第１乃至第ｎの左側ケーブル受けガイド（６５L1〜６５L5）および前記第１乃至第ｎの右側ケーブル受けガイド（６５R1〜６５R5）のうち第ｍ乃至第ｎの左側ケーブル受けガイドおよび前記第ｍ乃至第ｎの右側ケーブル受けガイドを左方向および右方向にそれぞれ伸ばせるように構成されていることを特徴とする、請求項１乃至５いずれかに記載のケーブル余長巻回し補助具。
【請求項７】
左端部および右端部に左側および右側ガイド（８１L，８１R）がそれぞれ取り付けられたケーブル導入用ガイド（８０）が、前記縦部材の上端部に取り付けられていることを特徴とする、請求項１乃至６いずれかに記載のケーブル余長巻回し補助具。
【請求項８】
横軸に前記光ケーブル余長部分の長さを取るとともに縦軸に仕上り径を取って巻回し回数をパラメータとして光ケーブル余長部分の長さと仕上り径との関係をグラフで示したケーブル余長巻回し仕上り図（９０）が、前記縦部材または前記横部材に取り付けられていることを特徴とする、請求項１乃至７いずれかに記載のケーブル余長巻回し補助具。
【発明の詳細な説明】
【技術分野】
【０００１】
本発明は、ケーブル余長巻回し補助具に関し、特に、電柱間にケーブルを架設する際のケーブル余長処理作業を行うのに好適なケーブル余長巻回し補助具に関する。
【背景技術】
【０００２】
電柱（支持物）間に光ケーブルを架設する場合には、将来の線路移設やケーブル障害時の復旧などを考慮して、長さに余裕を持たせた余長を必要な個所に適宜設けている。その際、作業員は光ケーブルの許容曲げ半径に注意して余長処理金具（たとえば、Ｊ型余長処理金具）を用いて光ケーブルの余長部分を巻き回して固定しているが、巻回し回数は作業員個々の判断で行われている。
【０００３】
また、下記の特許文献１に開示された８の字ループ用の余長収納金具では、単一種のもので径の異なるループに対応可能にして製造や現場作業を容易にするために、２個一組で光ケーブルの余長部分を８の字ループに固定して支持線に支持させるものであって、十字形の本体と、この本体を支持線に吊持する吊り具とから構成し、本体の縦横４本のアームのうち一方の縦アームおよび両横アームを伸縮固定自在として、これらアームの先端に光ケーブルの保持部を設け、これらアームの伸縮で径の異なるループが形成固定されるようにしている。
【先行技術文献】
【特許文献】
【０００４】
【特許文献１】特開平１１−３２６６４７号公報
【発明の概要】
【発明が解決しようとする課題】
【０００５】
しかしながら、従来の余長処理金具を用いたケーブル余長処理作業には、以下に示すような問題があった。
（１）曲りにくい光ケーブルの余長部分を手作業で数周分束ねて円形にする必要があるため、光ケーブルの余長部分を手で保持したり仮留めなどの付帯作業が必要になったりするなど、作業者の負担増となっているとともに作業時間を要する。
（２）光ケーブルの余長部分を円形に巻き回す際に径の大きさの判断要素がないため、作業者によって巻回し回数に差が生じるとともに巻回し後に手直しする必要が生じる場合がある。
【０００６】
また、上記の特許文献１に開示された８の字ループ用の余長収納金具では、光ケーブルの余長部分を取り付ける部分の長さ調節を個々に行う必要があるとともに、径の目安となる突出し長さを示すマークが少なく異なる径のループも限られている。
【０００７】
本発明の目的は、ケーブル余長処理作業の効率向上および作業者の負担軽減を図ることができるケーブル余長巻回し補助具を提供することにある。
【課題を解決するための手段】
【０００８】
本発明のケーブル余長巻回し補助具は、支持物間にケーブル（１）を架設する際にケーブル余長部分を第１乃至第ｎの巻回し径のうちのいずれか１つの巻回し径で円形に巻き回してケーブル余長処理作業を行うときに使用されるケーブル余長巻回し補助具であって、前記ケーブル余長巻回し補助具を前記支持物に固定するための固定部材と、上端に前記固定部材が取り付けられた縦部材と、前記縦部材の長手方向に沿ってスライド可能なように該縦部材に取り付けられたスライド部材と、長手方向が前記縦部材の長手方向と垂直になるように中央部が前記スライド部材に取り付けられた横部材と、前記横部材の左端部および右端部の前記光ケーブル余長部分を前記第１乃至第ｎの巻回し径でそれぞれ円形に巻き回す際に該巻き回された光ケーブル余長部分の左側部分および右側部分をそれぞれ受けることができる位置にそれぞれ取り付けられた、かつ、前記第１乃至第ｎの巻回し径の半分の曲率半径でそれぞれ曲げられた形状を有する第１乃至第ｎの左側ケーブル受けガイドおよび第１乃至第ｎの右側ケーブル受けガイドと、前記縦部材の上端部の前記固定部材よりも下の所定の点から該縦部材の長手方向と平行に測った距離が前記第１乃至第ｎの巻回し径の半分となる第１乃至第ｎの固定位置のいずれか１つの固定位置に前記スライド部材を固定するためのスライド部材固定手段とを具備し、前記第１乃至第ｎの巻回し径のうち一番小さい第１の巻回し径から数えてｍ（ｍ＝１〜ｎ）番目の第ｍの巻回し径で前記ケーブル余長部分を円形に巻き回す際に、前記第１乃至第ｎの固定位置のうちの前記縦部材の上端から見てｍ番目の第ｍの固定位置に前記スライド部材を前記スライド部材固定手段で固定し、該巻き回されたケーブル余長部分の左側部分および右側部分が前記第１乃至第ｎの左側ケーブル受けガイドのうちの前記横部材の中央部から見てｍ番目の第ｍの左側ケーブル受けガイドおよび前記第１乃至第ｎの右側ケーブル受けガイドのうちの前記横部材の中央部から見てｍ番目の第ｍの右側ケーブル受けガイドによってそれぞれ受けられるようにされていることを特徴とする。
ここで、前記第１乃至第ｎの左側ケーブル受けガイド（１３L1〜１３L7）および前記第１乃至第ｎの右側ケーブル受けガイド（１３R1〜１３R7）が、下端が前記横部材（１２）の下端と同じになるとともに、上端が該横部材の上端よりも上になるようにかつ上端を結んだ線の延長線が該横部材の中央部を通るように取り付けられていてもよい。
前記光ケーブル余長部分を前記第１乃至第ｎの巻回し径のうち第ｐ（ｐ＜ｎ）乃至第ｎの巻回し径でそれぞれ円形に巻き回す際に該巻き回された光ケーブル余長部分の下側部分を受けるための第１乃至第（ｎ−ｐ＋１）の下側ケーブル受けガイド（１３D1〜１３D4）をさらに具備してもよい。
前記第１乃至第ｎの左側ケーブル受けガイド（２３L1〜２３L7）と前記第１乃至第ｎの右側ケーブル受けガイド（２３R1〜２３R7）とが、下端が前記横部材（２２）の下端よりも下になるようにかつ下端を結んだ線の延長線が該横部材の中央部を通るように取り付けられていてもよい。
前記第１乃至第ｎの左側ケーブル受けガイド（３３L1〜３３L7）と前記第１乃至第ｎの右側ケーブル受けガイド（３３R1〜３３R7）とが、前記横部材（３２）の中央部よりも前記縦部材（３１）の長手方向に沿って上方の点から該横部材の長手方向と平行に測った距離が前記第１乃至第ｎの巻回し径の半分となる位置に取り付けられていてもよい。
前記横部材（６０）が、前記第ｍの巻回し径で前記ケーブル余長部分を円形に巻き回す際に前記第１乃至第ｎの左側ケーブル受けガイド（６５L1〜６５L5）および前記第１乃至第ｎの右側ケーブル受けガイド（６５R1〜６５R5）のうち第ｍ乃至第ｎの左側ケーブル受けガイドおよび前記第ｍ乃至第ｎの右側ケーブル受けガイドを左方向および右方向にそれぞれ伸ばせるように構成されていてもよい。
左端部および右端部に左側および右側ガイド（８１L，８１R）がそれぞれ取り付けられたケーブル導入用ガイド（８０）が、前記縦部材の上端部に取り付けられていてもよい。
横軸に前記光ケーブル余長部分の長さを取るとともに縦軸に仕上り径を取って巻回し回数をパラメータとして光ケーブル余長部分の長さと仕上り径との関係をグラフで示したケーブル余長巻回し仕上り図（９０）が、前記縦部材または前記横部材に取り付けられていてもよい。
【発明の効果】
【０００９】
本発明のケーブル余長巻回し補助具は、以下に示す効果を奏する。
（１）作業員は第ｍの左側ケーブル受けガイドおよび第ｍの右側ケーブル受けガイドにケーブル余長部分の左側部分および右側部分をそれぞれ受けさせながら巻き回せばケーブル余長部分を第ｍの巻回し径で円形に巻き回すことができるため、ケーブル余長処理作業の効率向上（作業時間の短縮化）および作業者の負担軽減（判断要素の統一および疲労軽減）が図れる。
（２）ケーブル余長処理作業の安全性向上および適応性向上（既設金具の流用が可能および新設移設両作業に適応可能）が図れる。
【図面の簡単な説明】
【００１０】
【図１】本発明の第１の実施例によるケーブル余長巻回し補助具１０の構成を示す図である。
【図２】図１に示したケーブル余長巻回し補助具１０の構成を説明するための図であり、（ａ）は縦部材１１、横部材１２およびスライド部材１４の横断面を示す図であり、（ｂ）は第１の左側ケーブル受けガイド１３L1の横断面を示す図であり、（ｃ）は片側が６段ずつの伸縮板状とした横部材１２’を縮めた状態を示す図であり、（ｄ）は横部材１２’を伸ばした状態を示す図である。
【図３】本発明の第２の実施例によるケーブル余長巻回し補助具２０の構成を示す図である。
【図４】本発明の第３の実施例によるケーブル余長巻回し補助具３０の構成を示す図である。
【図５】本発明の第４の実施例によるケーブル余長巻回し補助具４０の構成を示す図である。
【図６】図５に示した横部材６０の構成を示す図であり、（ａ）は（ｂ）のｂ−ｂ線に沿った断面図（表側ストッパ６２Fは断面で示していない。）であり、（ｂ）は（ａ）のａ−ａ線に沿った断面図であり、（ｃ）は（ｂ）のｃ−ｃ線に沿った断面図である。
【図７】図５に示した横部材６０の使用方法について説明するための図である。
【図８】図５に示したストッパ部材７０の構成を説明するための図であり、（ａ）は横部材６０の表面側から見たときの構成を説明するための図であり、（ｂ）は横部材６０の左側面側から見たときの構成を説明するための図であり、（ｃ）は押しボタン７２が押されたときの第１および第２の挟込爪７４1，７４2の動きを説明するための図である。
【図９】ケーブル導入用ガイド８０の構成を示す図である。
【図１０】ケーブル余長巻回し仕上り図の一例を示す図である。
【発明を実施するための形態】
【００１１】
上記の目的を、第１乃至第ｎの巻回し径のうち一番小さい第１の巻回し径から数えてｍ（ｍ＝１〜ｎ）番目の第ｍの巻回し径でケーブル余長部分を円形に巻き回す際に、第１乃至第ｎの固定位置のうちの縦部材の上端から見てｍ番目の第ｍの固定位置にスライド部材を固定し、巻き回されたケーブル余長部分の左側部分および右側部分が第１乃至第ｎの左側ケーブル受けガイドのうちの横部材の中央部から見てｍ番目の第ｍの左側ケーブル受けガイドおよび第１乃至第ｎの右側ケーブル受けガイドのうちの横部材の中央部から見てｍ番目の第ｍの右側ケーブル受けガイドによってそれぞれ受けられるように構成することにより実現した。
【実施例１】
【００１２】
以下、本発明のケーブル余長巻回し補助具の実施例について図面を参照して説明する。
本発明の第１の実施例によるケーブル余長巻回し補助具１０は、光ケーブル１の余長部分（以下、「光ケーブル余長部分」と称する。）を４００ｍｍ、５００ｍｍ、６００ｍｍ、７００ｍｍ、８００ｍｍ、９００ｍｍおよび１０００ｍｍのいずれか１つの巻回し径で円形に巻き回す際に使用するものであり、図１に示すように、縦部材１１と、横部材１２と、第１乃至第７の左側ケーブル受けガイド１３L1〜１３L7と、第１乃至第７の右側ケーブル受けガイド１３R1〜１３R7と、第１乃至第４の下側ケーブル受けガイド１３D1〜１３D4と、スライド部材１４と、ストッパ１５と、固定部１６とを具備する。
【００１３】
ここで、縦部材１１は、横断面形状（長手方向に対して垂直な方向に切ったときに長手方向に沿って見たときの断面図。以下、同様。）が矩形状である中空の板状部材である（図２（ａ）参照）。
縦部材１１の表面の上端部には、光ケーブル余長部分を円形に巻き回す際に光ケーブル余長部分の上端を合わせるための上端マークＡが付されている。
縦部材１１の表面の中央部の上端マークＡから下に向かって縦部材１１の長手方向と平行に測った距離が５００ｍｍ、４５０ｍｍ、４００ｍｍ、３５０ｍｍ、３００ｍｍ、２５０ｍｍおよび２００ｍｍ（巻回し径の半分）の部分には、ボルトＶと螺合する第１乃至第７のボルト孔Ｂ1〜Ｂ7（第２のボルト孔Ｂ2は不図示）が縦部材１１の長手方向に沿って一列に形成されている（図２（ａ）参照）。また、縦部材１１の表面の第１乃至第７のボルト孔Ｂ1〜Ｂ7の図１図示右上には、巻回し径を示す表示（φ１０００、φ９００、φ８００、φ７００、φ６００、φ５００およびφ４００）が付されている。なお、図１では、分かりやすいように、φ１０００、φ９００およびφ８００の表示は横部材１２の表面に付されているように図示している。
【００１４】
横部材１２は、光ケーブル余長部分を円形に巻き回す際に使用する第１乃至第７の左側ケーブル受けガイド１３L1〜１３L7と、第１乃至第７の右側ケーブル受けガイド１３R1〜１３R7とを支持するためのものであり、横断面形状が矩形状である板状部材である（図２（ａ）参照）。
横部材１２の表面の中央部には、ボルトＶを通すためのボルト挿通孔が形成されている。
【００１５】
スライド部材１４は、横断面形状が矩形状である中空の板状部材であり（図２（ａ）参照）、縦部材１１の長手方向に沿ってスライド可能なように縦部材１１に取り付けられている。
スライド部材１４の表面の中央部には、ボルトＶを通すためのボルト挿通孔が形成されている。これにより、ボルトＶを横部材１２のボルト挿通孔を通したのちにスライド部材１４のボルト挿通孔に通して第１乃至第７のボルト孔Ｂ1〜Ｂ7のいずれか１つに螺合させれば、横部材１２の長手方向が縦部材１１の長手方向と垂直になるように横部材１２をスライド部材１４に取り付けることができるようにされている。
【００１６】
ストッパ１５は、スライド部材１４が縦部材１１から抜けて下に落ちないようにするためのものであり、縦部材１１の第１のボルト孔Ｂ1と第４の下側ケーブル受けガイド１３D4との間に取り付けられている。
【００１７】
第１乃至第７の左側ケーブル受けガイド１３L1〜１３L7と第１乃至第７の右側ケーブル受けガイド１３R1〜１３R7とは、光ケーブル余長部分を１０００ｍｍ、９００ｍｍ、８００ｍｍ、７００ｍｍ、６００ｍｍ、５００ｍｍおよび４００ｍｍの巻回し径で円形に巻き回す際に、巻き回された光ケーブル余長部分の左側部分および右側部分をそれぞれ受けるためのものである。
そのため、第１乃至第７の左側ケーブル受けガイド１３L1〜１３L7は、５００ｍｍ、４５０ｍｍ、４００ｍｍ、３５０ｍｍ、３００ｍｍ、２５０ｍｍおよび２００ｍｍ（巻回し径の半分）の曲率半径で曲げられた形状をしているとともに、第１の左側ケーブル受けガイド１３L1について図２（ｂ）に示すように横断面形状がＵ字状となっており、開口面が横部材１２の中心部を向くように横部材１２の表面のボルト挿通孔よりも図１図示左側に取り付けられている。
また、第１乃至第７の左側ケーブル受けガイド１３L1〜１３L7は、横部材１２の長手方向と平行に左側に向かって測った横部材１２のボルト挿通孔からの距離が５００ｍｍ、４５０ｍｍ、４００ｍｍ、３５０ｍｍ、３００ｍｍ、２５０ｍｍおよび２００ｍｍとなるように取り付けられている。
さらに、第１乃至第７の左側ケーブル受けガイド１３L1〜１３L7は、下端が横部材１２の下端と同じになるとともに、上端が横部材１２の上端よりも上になるようにかつ上端を結んだ線の延長線が横部材１２のボルト挿通孔を通るように取り付けられている。
第１乃至第７の右側ケーブル受けガイド１３R1〜１３R7についても同様である。
【００１８】
第１乃至第４の下側ケーブル受けガイド１３D1〜１３D4は、光ケーブル余長部分を１０００ｍｍ、９００ｍｍ、８００ｍｍおよび７００ｍｍの巻回し径で円形に巻き回す際に、巻き回した光ケーブル余長部分の下側部分を受けるためのものである。
そのため、第１乃至第４の下側ケーブル受けガイド１３D1〜１３D4は、５００ｍｍ、４５０ｍｍ、４００ｍｍおよび３５０ｍｍ（巻回し径の半分）の曲率半径で曲げられた形状をしているとともに、第１の左側ケーブル受けガイド１３L1と同様に横断面形状がＵ字状となっており、開口面が縦部材１１の中心部を向くように縦部材１１の表面のストッパ１５よりも下側に取り付けられている。
また、第１の下側ケーブル受けガイド１３D1は、縦部材１１の長手方向と平行に測った第１のボルト孔Ｂ1からの距離が５００ｍｍとなるように取り付けられており、第２の下側ケーブル受けガイド１３D2は、縦部材１１の長手方向と平行に測った第２のボルト孔Ｂ2からの距離が４５０ｍｍとなるように取り付けられており、第３の下側ケーブル受けガイド１３D3は、縦部材１１の長手方向と平行に測った第３のボルト孔Ｂ3からの距離が４００ｍｍとなるように取り付けられており、第４の下側ケーブル受けガイド１３D4は、縦部材１１の長手方向と平行に測った第４のボルト孔Ｂ4からの距離が３５０ｍｍとなるように取り付けられている。
縦部材１１の表面の第１乃至第４の下側ケーブル受けガイド１３D1〜１３D4の下には、巻回し径を示す表示（φ１０００、φ９００、φ８００およびφ７００）が付されている。
【００１９】
固定部材１６は、縦部材１１の上端部の上端マークＡよりも上に取り付けられており、ケーブル余長巻回し補助具１０を自在バンドに取り付けて電柱などに固定するためのものである。
【００２０】
以上のように構成されたケーブル余長巻回し補助具１０を用いることにより、作業員は、たとえば光ケーブル余長部分を巻回し径＝９００ｍｍで円形に巻き回す際には、横部材１２のボルト挿通孔が縦部材１１の第２のボルト孔Ｂ2の位置にくるまでスライド部材１４を縦部材１１の長手方向に沿ってスライドさせたのち、ボルトＶで横部材１２をスライド部材１４および縦部材１１に固定する。
その後、作業員は、図１に示すように、光ケーブル余長部分の巻回し部分の上端を上端マークＡに合わせながら、第２の右側ケーブル受けガイド１３R2、第２の下側ケーブル受けガイド１３D2および第２の左側ケーブル受けガイド１３L2の順番で光ケーブル余長部分を受けさせることを巻回し回数だけ繰り返すことにより、光ケーブル余長部分を９００ｍの巻回し径で簡単に巻き回すことができる。
【００２１】
以上の説明では、横部材１２は板状部材としたが、横部材１２の長さは約１０００ｍｍ（１ｍ）となるため、図２（ｃ），（ｄ）に示す横部材１２’のように片側が６段ずつの伸縮板状として、ケーブル余長巻回し補助具１０を使用していないときには同図（ｃ）に示すように横部材１２’を縮めた状態にしておき、ケーブル余長巻回し補助具１０を使用する際に同図（ｄ）に矢印で示すように横部材１２’を伸ばすようにしてもよい。
この場合には、第１乃至第７の左側ケーブル受けガイド１３L1〜１３L7は横部材１２’の左側の各段の先端部に取り付けられ、第１乃至第７の右側ケーブル受けガイド１３R1〜１３R7は横部材１２’の左側の各段の先端部に取り付けられる。
【実施例２】
【００２２】
次に、本発明の第２の実施例によるケーブル余長巻回し補助具２０について、図３を参照して説明する。
本実施例によるケーブル余長巻回し補助具２０は、図３に示すように、以下に示す点で、上述した第１の実施例によるケーブル余長巻回し補助具１０と異なる。
（１）第１乃至第７の左側ケーブル受けガイド２３L1〜２３L7と第１乃至第７の右側ケーブル受けガイド２３R1〜２３R7とが、下端が横部材２２の下端よりも下になるようにかつ下端を結んだ線の延長線が横部材２２のボルト挿通孔を通るように、横部材２２の表面に取り付けられている。
（２）縦部材２１の横部材２２よりも下側の長さが、図１に示した縦部材１１よりも短くされている。すなわち、縦部材２１のストッパ２５よりも下の部分と第１乃至第４の下側ケーブル受けガイド１３D1〜１３D4とがない。
【００２３】
すなわち、ケーブル余長巻回し補助具２０では、第１乃至第７の左側ケーブル受けガイド２３L1〜２３L7と第１乃至第７の右側ケーブル受けガイド２３R1〜２３R7の下側の部分を長くすることにより光ケーブル余長部分の左側部分および右側部分の保持範囲を大きくすることができるため、第１乃至第４の下側ケーブル受けガイド１３D1〜１３D4をなくすことができる。その結果、ケーブル余長巻回し補助具２０のコンパクト化が図れるとともに、光ケーブル余長部分の通過ルートを見やくすることができる。
【実施例３】
【００２４】
次に、本発明の第３の実施例によるケーブル余長巻回し補助具３０について、図４参照して説明する。
本実施例によるケーブル余長巻回し補助具３０は、図４に示すように、第１乃至第７の左側ケーブル受けガイド３３L1〜３３L7と第１乃至第７の右側ケーブル受けガイド３３R1〜３３R7とが、横部材３２のボルト挿通孔よりも縦部材３１の長手方向に沿って上方の点（この例では、１００ｍｍだけ上方の点）から横部材３２の長手方向と平行に測った距離が５００ｍｍ、４５０ｍｍ、４００ｍｍ、３５０ｍｍ、３００ｍｍ、２５０ｍｍおよび２００ｍｍとなるように、横部材３２の表面に取り付けられている点で、上述した第２の実施例によるケーブル余長巻回し補助具２０と異なる。
【００２５】
これにより、巻き回しされた光ケーブル余長部分の左下側部分および右下側部分を第１乃至第７の左側ケーブル受けガイド３３L1〜３３L7と第１乃至第７の右側ケーブル受けガイド３３R1〜３３R7とで保持することができるので、巻き回しされた光ケーブル余長部分の左上側部分および右上側部分を第１乃至第７の左側ケーブル受けガイド３３L1〜３３L7と第１乃至第７の右側ケーブル受けガイド３３R1〜３３R7とで保持しなくても済むので、第１乃至第７の左側ケーブル受けガイド３３L1〜３３L7並びに第１乃至第７の右側ケーブル受けガイド３３R1〜３３R7の長さを短くすることができる。たとえば、図４に示すように、第１乃至第７の左側ケーブル受けガイド３３L1〜３３L7および第１乃至第７の右側ケーブル受けガイド３３R1〜３３R7の上端を結ぶ線が横部材３２の長手方向と平行になるようにすることができる。
【実施例４】
【００２６】
次に、本発明の第４の実施例によるケーブル余長巻回し補助具４０について、図５参照して説明する。
本実施例によるケーブル余長巻回し補助具４０は、光ケーブル余長部分を５００ｍｍ、６００ｍｍ、７００ｍｍ、８００ｍｍおよび９００ｍｍのいずれか１つの巻回し径で円形に巻き回す際に使用するものであり、図５に示すように、以下に示す点で、上述した第１乃至第３の実施例によるケーブル余長巻回し補助具１０，２０，３０と異なる。
（１）スライド部材７０を縦部材５０に固定するためのスライド部材固定手段が、ボルトＶではなくて押しボタン７２を用いて構成されている。
（２）横部材６０が、第１乃至第５の左側ケーブル受けガイド４３L1〜４３L5を個々に左方向に伸ばせるとともに第１乃至第５の右側ケーブル受けガイド４３R1〜４３R5を個々に右方向に伸ばせるように構成されている。
【００２７】
すなわち、ケーブル余長巻回し補助具４０の横部材６０は、図６（ａ）に示すように、中空の板状の本体６１と、表側および裏側ストッパ６２F，６２Bと、無端ベルト６３と、左側および右側ベルトローラ６４L，６４Rと、第１乃至第５の左側および右側ケーブル受けガイド支持板６５L1〜６５L5，６５R1〜６５R5（図６（ｂ）参照）とを備える。
【００２８】
左側および右側ベルトローラ６４L，６４Rは、本体６１の内部の左上側および右上側に、回転軸が本体６１の長手方向（上下方向）に沿った線と平行になるように取り付けられている。無端ベルト６３は、左側および右側ベルトローラ６４L，６４R間に巻かれている。
【００２９】
表側ストッパ６２Fは、図６（ｂ）に示すように、三角板形状のものであり、三角形の２辺に該当する左上側面および左下側面は５段の階段形状とされている。表側ストッパ６２Fの上端部は表側ストッパ横板部を介して無端ベルト６３に固定されている。表側ストッパ横板部の左側端部には、円柱棒状の表側ストッパ用つまみ６２Faの末端が固定されている。表側ストッパ用つまみ６２Faの先端部は本体６１の表面よりも突出している。
裏側ストッパ６２Bは、表側ストッパ６２Fと同様に構成されているが、表側ストッパ６２Fと左右が逆になっており、また、表側ストッパ６２Fと本体６１の中心に対して点対象の位置となるように無端ベルト６３に固定されている（図６（ａ）参照）。
本体６１の表面および裏面の上部には、表側ストッパ用つまみ６２Faおよび裏側ストッパ用つまみ６２Baを左右方向（水平方向）に移動可能とするためのガイド孔が形成されている。
これにより、作業員は、表側ストッパ用つまみ６２Faおよび裏側ストッパ用つまみ６２Baの一方をつまんでガイド孔に沿って左右に移動させることにより、表側ストッパ６２Fおよび裏側ストッパ６２Bを同時にかつ左右反対方向に移動させることができる。
なお、本体６１の表面および裏面のこのガイド孔の上には、表側ストッパ用つまみ６２Faおよび裏側ストッパ用つまみ６２Baを巻回し径５００ｍｍ、６００ｍｍ、７００ｍｍ、８００ｍｍおよび９００ｍｍに合わせて止めるための表示（目盛など）が付されている。
【００３０】
第１の右側ケーブル受けガイド支持板６５R1は、右側端部が本体６１の右側面から突出するように設けられているとともに、上側用と下側用の２本で構成されている。第１の右側ケーブル受けガイド支持板６５R1の表面の左側端部には、円柱棒状の第１の右側ケーブル受けガイド支持板用つまみ６５R1aの末端が固定されている。第１の右側ケーブル受けガイド支持板用つまみ６５R1aの先端部は本体６１の表面よりも突出している。第１の右側ケーブル受けガイド支持板用つまみ６５R1aは表側ストッパ６２Fよりも左側に位置するようにされている。
第２乃至第４の右側ケーブル受けガイド支持板６５R2〜６５R4は、第１の右側ケーブル受けガイド支持板６５R1と同様に構成されている。
第５の右側ケーブル受けガイド支持板６５R5は、１本で構成されている点と、高さが第１乃至第４の右側ケーブル受けガイド支持板６５R1〜６５R4の２倍とされている点とを除けば、第１乃至第４の右側ケーブル受けガイド支持板６５R1〜６５R4と同様に構成されている。
第１乃至第５の右側ケーブル受けガイド支持板６５R1〜６５R5は、上から第１の右側ケーブル受けガイド支持板６５R1、第２の右側ケーブル受けガイド支持板６５R2、第３の右側ケーブル受けガイド支持板６５R3、第４の右側ケーブル受けガイド支持板６５R4、第５の右側ケーブル受けガイド支持板６５R5、第４の右側ケーブル受けガイド支持板６５R4、第３の右側ケーブル受けガイド支持板６５R3、第２の右側ケーブル受けガイド支持板６５R2および第１の右側ケーブル受けガイド支持板６５R1の順番に設けられている。
【００３１】
第１の左側ケーブル受けガイド支持板６５L1は、左側端部が本体６１の左側面から突出するように設けられているとともに、上側用と下側用の２本で構成されている。第１の左側ケーブル受けガイド支持板６５L1の右側端部には、円柱棒状の第１の左側ケーブル受けガイド支持板用つまみ６５L1aの末端が固定されており、第１の左側ケーブル受けガイド支持板用つまみ６５L1aの先端部は本体６１の裏面よりも突出している。第１の左側ケーブル受けガイド支持板用つまみ６５L1aは裏側ストッパ６２Rよりも右側に位置するようにされている。
第２乃至第４の左側ケーブル受けガイド支持板６５L2〜６５L4は、第１の左側ケーブル受けガイド支持板６５L1と同様に構成されている。
第５の左側ケーブル受けガイド支持板６５L5は、１本で構成されている点と、高さが第１乃至第４の左側ケーブル受けガイド支持板６５L1〜６５L4の２倍とされている点とを除けば、第１乃至第４の左側ケーブル受けガイド支持板６５L1〜６５L4と同様に構成されている。
第１乃至第５の左側ケーブル受けガイド支持板６５L1〜６５L5は、上から第１の左側ケーブル受けガイド支持板６５L1、第２の左側ケーブル受けガイド支持板６５L2、第３の左側ケーブル受けガイド支持板６５L3、第４の左側ケーブル受けガイド支持板６５L4、第５の左側ケーブル受けガイド支持板６５L5、第４の左側ケーブル受けガイド支持板６５L4、第３の左側ケーブル受けガイド支持板６５L3、第２の左側ケーブル受けガイド支持板６５L2および第１の左側ケーブル受けガイド支持板６５L1の順番に設けられている。
【００３２】
本体６１の表面および裏面には、第１乃至第５の右側ケーブル受けガイド支持板用つまみ６５R1a〜６５R5aおよび第１乃至第５の左側ケーブル受けガイド支持板用つまみ６５L1a〜６５L5aを左右方向（水平方向）に移動可能とするためのガイド孔が形成されている。
第１乃至第５の右側ケーブル受けガイド支持板用つまみ６５R1a〜６５R5a用のガイド孔の左端は、表側ストッパ６２Fを左側の端までスライドさせたときに第１乃至第５の右側ケーブル受けガイド支持板用つまみ６５R1a〜６５R5aが表側ストッパ６２Fの左上側面および左下側面に形成された各段と接する位置とされている。また、第１乃至第５の右側ケーブル受けガイド支持板用つまみ６５R1a〜６５R5a用のガイド孔の右端は、光ケーブル余長部分の巻回し径が９００ｍｍ、８００ｍｍ、７００ｍｍ、６００ｍｍおよび５００ｍｍとなる位置まで表側ストッパ６２Fを右側にスライドさせたときに第１乃至第５の右側ケーブル受けガイド支持板用つまみ６５R1a〜６５R5aが後述する第１乃至第５の表側バネ６６F1〜６６F5の左端に当接する位置から第１乃至第５の表側バネ６６F1〜６６F5の長さ分だけ右側の位置とされている。
第１乃至第５の左側ケーブル受けガイド支持板用つまみ６５L1a〜６５L5a用のガイド孔の左端は、裏側ストッパ６２Bを右側の端までスライドさせたときに第１乃至第５の左側ケーブル受けガイド支持板用つまみ６５L1a〜６５L5aが裏側ストッパ６２Bの２つの右側面に形成された各段と接する位置とされている。また、第１乃至第５の左側ケーブル受けガイド支持板用つまみ６５L1a〜６５L5a用のガイド孔の左端は、光ケーブル余長の巻回し径が９００ｍｍ、８００ｍｍ、７００ｍｍ、６００ｍｍおよび５００ｍｍとなる位置まで裏側ストッパ６２Bを左側にスライドさせたときに第１乃至第５の左側ケーブル受けガイド支持板用つまみ６５L1a〜６５L5aが後述する第１乃至第５の裏側バネ６６B1〜６６B5の左端に当接する位置から第１乃至第５の裏側バネ６６B1〜６６B5の長さ分だけ左側の位置とされている。
【００３３】
第１の表側バネ６６F1および第１の裏側バネ６６B1は、光ケーブル余長部分の巻回し作業が終了したのちに、巻き回した光ケーブル余長部分を第１の右側ケーブル受けガイド４３R1および第１の左側ケーブル受けガイド４３L1から取り外す際に第１の右側ケーブル受けガイド支持板６５R1および第１の左側ケーブル受けガイド支持板６５L1を更に右側および左側にスライドさせたときに、第１の右側ケーブル受けガイド支持板６５R1および第１の左側ケーブル受けガイド支持板６５L1を元の位置に戻すためのものである。
第２乃至第５の表側バネ６６F2〜６６F5および第２乃至第５の裏側バネ６６B2〜６６B5についても同様である。
【００３４】
本体６１の右側面および左側面には、第１乃至第５の右側ケーブル受けガイド支持板６５R1〜６５R5および第１乃至第５の左側ケーブル受けガイド支持板６５L1〜６５L5を貫通させるための貫通孔が形成されている（図６（ｃ）参照）。
【００３５】
これにより、たとえば、光ケーブル余長部分の巻回し径を７００ｍｍとする場合には、作業員は、表側ストッパ用つまみ６２Faをつまんでスライドさせることにより、図７（ａ）に示すように光ケーブル余長部分の巻回し径が７００ｍｍとなる位置まで表側ストッパ６２Fおよび裏側ストッパ６２Bを移動させる。その後、作業員は、同図（ｂ）に示すように第１乃至第３の右側ケーブル受けガイド支持板用つまみ６５R1a〜６５R3aを表側ストッパ６２Fに当接するまで右側に順番にスライドさせたのちに、第１乃至第３の左側ケーブル受けガイド支持板用つまみ６５L1a〜６５L3aを裏側ストッパ６２Bに当接するまで左側に順番にスライドさせることにより、同図（ｃ）に示すように第１乃至第３のケーブル受けガイド支持板６５R1〜６５R3と第１乃至第３の左側ケーブル受けガイド支持板６５L1〜６５L3とを伸ばす。その結果、第３の右側ケーブル受けガイド４３R3および第３の左側ケーブル受けガイド４３L3を光ケーブル余長部分の巻回し位置に設定することができるとともに、第１および第２の右側ケーブル受けガイド４３R1，４３R2と第１および第２の左側ケーブル受けガイド４３L1，４３L2とを光ケーブル余長部分の巻回し作業の邪魔にならない位置に設定することができる。
【００３６】
縦部材５０の内部には、スライド部材７０を縦部材５０の垂直方向（上下方向）に沿ってスライドさせるための支持ポール５１（図８（ａ）参照）が取り付けられている。支持ポール５１の上端は縦部材５０の上面の内面に固定されており、支持ポール５１の下端は縦部材５０の下面の内面に固定されている。
縦部材５０の表面には、スライド部材７０を垂直方向にスライド可能にするためのガイド孔が、縦部材５０の長手方向に沿って形成されている。
縦部材５０の表面のガイド孔の両側には、横部材６０の中央部が上端マークＡから２５０ｍｍ、３００ｍｍ、３５０ｍｍ、４００ｍｍおよび４５０ｍｍ下の位置にくるようにスライド部材７０を止めるための表示（目盛など）が付されている。
【００３７】
スライド部材７０は、図８（ａ），（ｂ）に示すように、本体７１と、押しボタン７２と、挟込本体７３と、第１および第２の挟込爪７４1，７４2と、第１および第２の支え７５1，７５2と、第１および第２の上側引張バネ７６U1，７６U2と、第１および第２の下側引張バネ７６D1，７６D2とを備える。
【００３８】
本体７１には、縦部材５０、挟込本体７１および支持ポール５１を垂直方向に貫通させるための貫通孔が形成されている。
【００３９】
押しボタン７２は、本体７１の表面側の上部に取り付けられている。押しボタン７２の先端部は、第１および第２の挟込爪６４1，６４2間に挿入されているとともに、先端ほど左右方向（図８（ｂ）の紙面と垂直な方向）の厚さが小さくなるようにされている。押しボタン７２の末端部には複数本の引張バネが取り付けられており、作業員が押しボタン７２を指で押したのちに指を離すと元の位置に戻るようにされている。
【００４０】
挟込本体７３には、支持ポール５１の長手方向に沿ってスライド可能なように、支持ポール５１を貫通させるための貫通孔が形成されている。
挟込本体７３の上部には、第１および第２の挟込爪７４1，７４2が取り付けられている。
第１および第２の挟込爪７４1，７４2の互いに対向する面には、支持ポール５１の外周面全面を左右両側から挟み込んでスライド部材７０を縦部材５０に固定するための半円形状の穴が形成されているとともに、半円形状の穴よりも表面側（押しボタン７２側）は、押しボタン７２の先端部が挿入可能なように、表面に向かうほど左右方向の厚さが小さくなるように削られている。すなわち、第１および第２の挟込爪７４1，７４2は、押しボタン７２が押されていないときには、支持ポール５１の外周面全面を左右両側から挟み込んでスライド部材７０を縦部材５０に固定して移動しないようにしているが、押しボタン７２が押されると、図８（ｃ）に示すように押しボタン７２の先端部によって第１および第２の挟込爪７４1，７４2の互いに対向する面の表面側が左右方向にそれぞれ押されて、支持ポール５１の外周面の挟込みを解除して、スライド部材７０を垂直方向（縦部材５０の長手方向）に沿ってスライドできるようにされている。
【００４１】
第１および第２の支え７５1，７５2は、板状のものであり、挟込本体７３を本体７１によって支持するためのものである。そのため、第１の支え７５1の一端は挟込本体７２の押しボタン７２よりも上に取り付けられており、第１の支え７５1の他端は本体７１の内面に取り付けられている。また、第２の支え７５2の一端は挟込本体７２の押しボタン７２よりも下に取り付けられており、第２の支え７５2の他端は本体７１の内面に取り付けられている
【００４２】
第１および第２の上側引張バネ７６U1，７６U2と第１および第２の下側引張バネ７６D1，７６D2とは、挟込本体７２を支持するととともに、スライド部材７０の移動をスムーズに行わせるためのものである。そのため、第１および第２の上側引張バネ７６U1，７６U2の上端は縦部材５０の上面の内面に取り付けられており、第１および第２の上側引張バネ７６U1，７６U2の下端は挟込本体７３の上面に取り付けられており、第１および第２の下側引張バネ７６D1，７６D2の下端は縦部材５０の下面の内面に取り付けられており、第１および第２の下側引張バネ７６D1，７６D2の上端は挟込本体７３の下面に取り付けられている。
【００４３】
以上、本発明のケーブル余長巻回し補助具の実施例について説明したが、作業員が光ケーブル余長部分の巻回し作業を行う際に光ケーブル余長部分の巻回し部分のケーブル受けガイドへの導入をスムーズに行うことができるように、図９に示すような左右端部に左側および右側ガイド８１L，８１Rが取り付けられたケーブル導入用ガイド８０を縦部材の上端部に取り付けるようにしてもよい。
このようなケーブル導入用ガイド８０を取り付けることにより、ケーブル受けガイドの上側部分の保持範囲を軽減させることができるため、ケーブル受けガイドの小型化も図れる。
【００４４】
また、作業員が余長作業をする際に仕上り径（巻回し径）および巻回し回数を直ぐに分かるようにするために、図１０に示すような横軸に光ケーブル余長部分の長さを取るとともに縦軸に仕上り径を取って巻回し回数をパラメータとして光ケーブル余長部分の長さと仕上り径との関係をグラフで示したケーブル余長巻回し仕上り図９０を縦部材または横部材に取り付けてもよい。
【００４５】
さらに、図５に示した横部材６０の表面および裏面をそれぞれカバーする表面カバー部材および裏面カバー部材を横部材６０に取り付けてもよく、この場合には、ケーブル余長巻回し仕上り図９０を表面カバー部材および裏面カバー部材に取り付けるようにしてもよい。
【００４６】
光ケーブル１を例として説明したが、他のケーブルについてケーブル余長処理作業を行う際にも本発明のケーブル余長巻回し補助具を使用することができる。
【符号の説明】
【００４７】
１  光ケーブル
１０，２０，３０，４０  ケーブル余長巻回し補助具
１１，２１，３１，５０  縦部材
１２，１２’，２２，３２，６０  横部材
１３L1〜１３L7，２３L1〜２３L7，３３L1〜３３L7  第１乃至第７の左側ケーブル受けガイド
１３R1〜１３R7，２３R1〜２３R7，３３R1〜３３R7  第１乃至第７の右側ケーブル受けガイド
１３D1〜１３D4  第１乃至第４の下側ケーブル受けガイド
１４，２４，３４，７０  スライド部材
１５，２５，３５，４５  ストッパ
１６，２６，３６  固定部
４３L1〜４３L5  第１乃至第５の左側ケーブル受けガイド
４３R1〜４３R5  第１乃至第５の右側ケーブル受けガイド
５１  支持ポール
６１  本体
６２F，６２B  表側および裏側ストッパ
６２Fa，６２Ba  表側ストッパ用つまみ
６３  無端ベルト
６４L，６４R  左側および右側ベルトローラ
６５L1〜６５L5，６５R1〜６５R5  第１乃至第５の左側および右側ケーブル受けガイド支持板
６５L1a〜６５L5a，６５R1a〜６５R5a  第１乃至第５の左側および右側ケーブル受けガイド支持板用つまみ
６６F1〜６６F5，６６B1〜６６B5  第１乃至第５の表側および裏側バネ
７１  本体
７２  押しボタン
７３  挟込本体
７４1，７４2  第１および第２の挟込爪
７５1，７５2  第１および第２の支え
７６U1，７６U2第１および第２の上側引張バネ
７６D1，７６D2  第１および第２の下側引張バネ
８０  ケーブル導入用ガイド
８１L，８１R  左側および右側ガイド
９０  ケーブル余長巻回し仕上り図
Ａ  上端マーク
Ｂ1〜Ｂ7  第１乃至第７のボルト孔
Ｖ  ボルト
【図１】
2012027292.tif 000003
【図２】
2012027292.tif 000004
【図３】
2012027292.tif 000005
【図４】
2012027292.tif 000006
【図５】
2012027292.tif 000007
【図６】
2012027292.tif 000008
【図７】
2012027292.tif 000009
【図８】
2012027292.tif 000010
【図９】
2012027292.tif 000011
【図１０】
2012027292.tif 000012